(57)【要約】【課題】簡単な構造で十分な遮光性を持つ遮光装置を備えた照明器具を提供する。【解決手段】長手方向を有する形状の蛍光ランプ１０と、前記蛍光ランプ１０の所定の光を遮光する遮光装置１１とを器具本体２に備える照明器具１であって、前記遮光装置１１は、前記蛍光ランプ１１を覆って設けられ、前記蛍光ランプ１０の長手方向に所定の間隔で複数のスリット開口２１を形成したスリット板２０と、前記スリット板２０を覆い、かつ、当該スリット板２０と所定の距離だけ離間して設けられ、前記スリット板２０のスリット開口２１を通過した光のうち前記蛍光ランプ１０の長手方向の一方である照明器具後方に向かう光を遮蔽する帯状の遮蔽面３１を前記スリット板２０の各スリット開口２１に対応して形成した遮蔽板３０とを有する構成とした。【選択図】図２
2008282689.tif 000002
【特許請求の範囲】
【請求項１】
長手方向を有する形状の光源と、前記光源の所定の光を遮光する遮光装置とを器具本体に備える照明器具であって、
前記遮光装置は、
前記光源を覆って設けられ、前記光源の長手方向と直交する方向に開口した複数のスリット開口を、前記長手方向に所定の間隔で形成したスリット板と、
前記スリット板を覆い、かつ、当該スリット板と所定の距離だけ離間して設けられ、前記スリット板のスリット開口を通過した光のうち前記光源の長手方向の一方に向かう光を遮蔽する帯状の遮蔽面を前記スリット板の各スリット開口に対応して形成した遮蔽板と
を有することを特徴とする照明器具。
【請求項２】
請求項１に記載の照明器具において、
前記スリット板のスリット開口の形状、及び、前記遮蔽板の遮蔽面の形状により、前記光源の光を照射する方向を制御したことを特徴とする照明器具。
【請求項３】
請求項２に記載の照明器具において、
前記スリット板と前記遮蔽板との相対位置を前記光源の長手方向に沿って調節可能に構成したことを特徴とする照明器具。
【請求項４】
請求項１乃至３のいずれかに記載の照明器具において、
前記光源を挟んで前記スリット板の対向面に反射板を配置し、前記スリット板を反射性を有する金属板から形成すると共に、前記遮蔽板と対向する前記スリット板の面は黒色にしたことを特徴とする照明器具。
【発明の詳細な説明】
【技術分野】
【０００１】
本発明は、照明器具に係り、特に、長手方向を有する形状の光源とし、街路などの屋外に設置される防犯灯に用いて好適な照明器具に関。
【背景技術】
【０００２】
一般に、防犯灯は街路側に立設した支柱に取り付けられ、長手方向を有する形状の線状光源である蛍光ランプで街路面を照射するようにしている。通常、線状光源である蛍光ランプは街路に対して直角方向に支柱に取り付けられていることから、蛍光ランプと直行して幅広く光が照射される。従って、道路際の民家の窓や田畑へは光漏れが生じ、光公害が発生することがある（例えば、特許文献１参照）。そこで、防犯灯においては遮光部材を内蔵して光漏れを防止することが行われている。
【０００３】
ここで、光源が配光制御可能なＨＩＤランプ等の点光源である場合には、遮光すべき角度方向を完全に覆う遮光フードを遮光部材として用いることができるため、安価に遮光が可能である。これに対して、点灯管方式（ＦＬ）の蛍光ランプやＦＨＰ（高周波点灯専用形コンパクト形蛍光ランプ）といった全長の長い蛍光ランプを光源として用いる場合には、遮光フードでは完全な遮光が実現し難い。そこで、多数の板状の遮光ルーバを光源の長手方向に所定の間隔で支持材に接合、固定等して取り付けてなる遮光装置が用いられている（例えば、特許文献２参照）。
【特許文献１】特開２００６−１２４７３号公報
【特許文献２】特開２００４−１７２０３１号公報
【発明の開示】
【発明が解決しようとする課題】
【０００４】
しかしながら、従来の遮光装置においては、多数の遮光ルーバを支持材に取り付ける工程が必要であるため、製造が煩雑であり非常に高価になるという問題があった。
本発明は、上述した事情に鑑みてなされたものであり、簡単な構造で十分な遮光性を持つ遮光装置を備えた照明器具を提供することを目的とする。
【課題を解決するための手段】
【０００５】
上記目的を達成するために、本発明は、長手方向を有する形状の光源と、前記光源の所定の光を遮光する遮光装置とを器具本体に備える照明器具であって、前記遮光装置は、前記光源を覆って設けられ、前記光源の長手方向と直交する方向に開口した複数のスリット開口を、前記長手方向に所定の間隔で形成したスリット板と、前記スリット板を覆い、かつ、当該スリット板と所定の距離だけ離間して設けられ、前記スリット板のスリット開口を通過した光のうち前記光源の長手方向の一方に向かう光を遮蔽する帯状の遮蔽面を前記スリット板の各スリット開口に対応して形成した遮蔽板とを有することを特徴とする。
【０００６】
また本発明は、上記発明において、前記スリット板のスリット開口の形状、及び、前記遮蔽板の遮蔽面の形状により、前記光源の光を照射する方向を制御したことを特徴とする。
【０００７】
また本発明は、上記発明において、前記スリット板と前記遮蔽板との相対位置を前記光源の長手方向に沿って調節可能に構成したことを特徴とする。
【０００８】
また本発明は、上記発明において、前記光源を挟んで前記スリット板の対向面に反射板を配置し、前記スリット板を反射性を有する金属板から形成すると共に、前記遮蔽板と対向する前記スリット板の面は黒色にしたことを特徴とする。
【発明の効果】
【０００９】
本発明によれば、光源の長手方向に所定の間隔で複数のスリット開口を形成したスリット板と、スリット板のスリット開口を通過した光のうち光源の長手方向の一方に向かう光を遮蔽する帯状の遮蔽面を各スリット開口に対応して形成した遮蔽板との２枚の板材により遮光装置を構成したため、簡単な構造で十分な遮光性を有する遮光装置が実現される。また、これにより、製造コストを抑えた照明器具が提供される。
【発明を実施するための最良の形態】
【００１０】
以下、図面を参照して本発明の実施形態について説明する。
図１は本実施形態に係る照明器具１を下方から見た斜視図であり、図２は照明器具１の一部断面図である。この照明器具１は、街路などに設けられ例えば防犯灯として使用されるものであり、例えばアルミダイカストで構成した器具本体２と、この器具本体２の下面を覆う透光性の素材から形成されたグローブ３とを有する。グローブ３は器具本体２の先端部の連結部４で開閉可能に連結され後端部のロック機構５で器具本体２に掛止されている。
【００１１】
街路などに立設した電柱などの支柱に照明器具１を支持する支持アーム６が、器具本体２の後方から挿入され、この支持アーム６の先端部が器具本体２に内蔵されたアーム挟持機構９（図３参照）に挟持されている。アーム挟持機構９は、支持アーム６を回動自在に挟持するように構成されており、これにより照明器具１が支持アーム６に対して矢印Ａ（図２）の向きに傾動し、取り付け角度が可変になされている。また、器具本体２の外壁上面には把手８が形成されており、支持アーム６に対する照明器具１の取り付け角度を可変する際には把手８を手で持って可変するようになっている。
また器具本体２には、支持アーム６の挿入箇所にゴムパッキン７が配されて防水が図られており、このゴムパッキン７は、照明器具１の取り付け角度の可変に対応して変形するようになっている。
【００１２】
次いで、照明器具１の内部構成について説明する。
図３は照明器具１からグローブ３を外した状態を下方から見た斜視図であり、図４は遮光装置１１を取り外した状態を下方から見た斜視図である。
器具本体２の内部には、図示せぬ安定器が設けられており、その安定器の下面には、平板状の反射板１２が開閉自在に取り付けられている。そして、この反射板１２の下面に、長手方向を有する形状の光源の一例たる蛍光ランプ１０と、遮光装置１１とが設けられている。
上記蛍光ランプ１０は、その一端が器具本体２の後端側（支持アーム６により支持される側）に設けられたソケット１３に挿着され、器具本体２の先端部に向けて延在し、遮光装置１１に覆われている。遮光装置１１は、蛍光ランプ１０が放射する光のうち、器具本体２の後方（支持アーム６が配置されている方向）への光を遮光するものであり、かかる構成について以下に詳述する。
【００１３】
図５は遮光装置１１を下方から見た斜視図であり、図６は遮光装置１１の分解斜視図である。また、図７は遮光装置１１の構成を示す図であり、（Ａ）は側面、（Ｂ）は先端側、（Ｃ）は後端側をそれぞれ示す。
これらの図に示すように、遮光装置１１は、例えば鉄板やアルミ板等の金属板から形成されたスリット板２０及び遮蔽板３０を有し、スリット板２０を遮蔽板３０が覆うように設けられている。
【００１４】
スリット板２０は、蛍光ランプ１０の長手方向に直交する帯状のスリット開口２１が該蛍光ランプ１０の長手方向に沿って所定の間隔Ｌ１（図６参照）で形成された１枚の金属板材を山形に折り曲げて形成され、蛍光ランプ１０を覆うように（径周りを囲うように）に設けられており、蛍光ランプ１０から放射される光がスリット板２０の各スリット開口２１、前方開口２２及び後方開口２３のそれぞれから外部に放射される。このときスリット板２０が金属材で構成されているため、スリット板２０の内側の面（蛍光ランプ１０との対向面）で反射が生じ上記反射板１２による反射との協同によって、多くの光がスリット開口２１、前方開口２２及び後方開口２３から外部に取り出されることとなる。
【００１５】
遮蔽板３０は、スリット板２０を通過した光のうち、蛍光ランプ１０の長手方向における照明器具後方側に向かう光を遮蔽するものであり、蛍光ランプ１０の長手方向に所定の間隔Ｌ２（図６参照）で帯状の遮蔽面３１が形成された１枚の金属板を山形に折り曲げて形成され、上記スリット板２０との間に所定間隔Ｌ３を設けて当該スリット板２０を覆うように設けられる。
遮蔽面３１のそれぞれはスリット板２０の各スリット開口２１に対応して設けられており、図５に示すように、遮光装置１１を下方後方から見た場合、スリット開口２１のそれぞれが遮蔽面３１により覆い隠されている。換言すれば、スリット開口２１のそれぞれから照明器具１の後方に向かう光が遮蔽面３１のそれぞれにより遮蔽される。
一方、図７（Ａ）に示すように、側面及び下方から見た場合、各遮蔽面３１の間の隙間がスリット開口２１に位置しており、これにより、スリット開口２１から側方及び下方への光は遮蔽面３１に遮蔽されることなく放射される。特に側方に光を導出することで街路に沿った広い範囲を照明することが可能となる。
【００１６】
また、遮蔽板３０の最後方に形成された遮蔽面３１には、スリット板２０の後方開口２３を塞ぐ左右一対の後方遮光板３２Ａ、３２Ｂが一体形成されている。図７（Ｃ）に示すように、一対の後方遮光板３２Ａ、３２Ｂの間には上記ソケット１３が位置し、これら後方遮光板３２Ａ、３２Ｂ及びソケット１３により、スリット板２０の後方開口２３から漏れる光が遮蔽される。
さらに、スリット板２０及び遮蔽板３０は各々の対向面２０Ａ、３０Ａ（図７（Ｂ）又は図７（Ｃ）参照）が黒色に塗られており、対向面２０Ａ、３０Ａ間での反射が抑制されている。これにより、遮蔽板３０の遮蔽面３１にて遮蔽された光の反射が抑制されているため、遮蔽面３１の間の開口から照明器具１の後方への光の漏れ出しが防止されることとなる。
【００１７】
さて、遮光装置１１は、遮蔽板３０の遮蔽面３１により照明器具１の後方への光を遮光する事は上述の通りであるが、さらに、この遮光装置１１は、蛍光ランプ１０の光を照射する方向を制御する機能をも有する。すなわち、図７（Ａ）に示すように、遮光装置１１から下方に向かう光の方向は、スリット板２０のスリット開口２１、及び、遮蔽板３０の遮蔽面３１の形状により制御されている。
【００１８】
詳細には、図７（Ａ）に示すように、スリット開口２１は、側方から見た場合、蛍光ランプ１０の長手方向に対して傾斜角度θだけ前方に向けて傾斜して形成されており、この傾斜角度θによって各スリット開口２１から照明器具１の前方に向かう光Ｈ１が規定される。一方、スリット開口２１から照明器具１の後方に向かう光Ｈ２は、スリット開口２１の頂点Ｐ１と、この頂点Ｐ１から見て後方側に位置する遮蔽面３１の頂点Ｐ２とを結ぶ角度によって規定される。したがって、スリット開口２１の傾斜角度θ、及び、スリット開口２１の頂点Ｐ１と遮蔽面３１の頂点Ｐ２との位置関係を調整することで、各スリット開口２１から出る光の照射範囲αを制御することが可能となる。
一方、遮蔽板３０においては、スリット開口２１から前方に向かう光を阻害しないように各遮蔽面３１の前方側３１Ａがスリット開口２１と同様に、側方から見た場合に傾斜角度θだけ傾斜して形成されている。一方、遮蔽板３０の各遮蔽面３１の後方側３１Ｂは、側方から見て略垂直に形成されており、スリット開口２１から角度θに沿って前方に向かう光Ｈ１を遮蔽しない形状となっている。
【００１９】
このような遮光装置１１は、前傾図３に示すように、スリット板２０及び遮蔽板３０を螺子４０により器具本体２に固定して取り付けられる。このとき、図６に示すように、スリット板２０の螺子孔２５は、遮蔽板３０の螺子孔３５に対して細孔に形成されており、スリット板２０及び遮蔽板３０を器具本体２に螺子止めする際に、スリット板２０を螺子孔２５に沿ってスライド移動させることで、スリット板２０と遮蔽板３０との相対位置を蛍光ランプ１０の長手方向に沿って調節可能になっている。
【００２０】
このように、スリット板２０と遮蔽板３０との相対位置を調整可能にすることで、スリット板２０の各スリット開口２１から放射される光の方向を調整することが可能となる。これにより、例えば支持アーム６に対して器具本体２の取り付け角度を可変した場合であっても、スリット板２０と遮蔽板３０との相対位置を調節することで光の照射方向や遮光範囲を適切に調節することが可能となる。
【００２１】
以上説明したように、本実施形態によれば、蛍光ランプ１０の長手方向に所定の間隔Ｌ１で複数のスリット開口２１を形成したスリット板２０と、このスリット板２０のスリット開口２１を通過した光のうち蛍光ランプ１０の長手方向の一方（照明器具１の後方側）に向かう光を遮蔽する帯状の遮蔽面３１を各スリット開口２１に対応して形成した遮蔽板３０との２枚の板材により遮光装置１１を構成したため、簡単な構造で十分な遮光性を有する遮光装置１１が実現される。
特に、このような形状のスリット板２０及び遮蔽板３０は、溶接や溶着などを用いずに一枚の板材からプレス成型や折り曲げ加工などを用いて簡単に形成することが可能であるため、比較的容易に製造可能であり、製造コストを削減可能となる。
【００２２】
また、本実施形態によれば、遮光装置１１を構成するスリット板２０のスリット開口２１の形状、及び、遮蔽板３０の遮蔽面３１の形状により、蛍光ランプ１０の光を照射する方向を制御可能な構成としたため、照明範囲をより正確に定めることが可能となり、照明器具１の後方への光漏れを確実に防止することが可能となる。
【００２３】
さらに、本実施形態によれば、スリット板２０と遮蔽板３０との相対位置を蛍光ランプ１０の長手方向に沿って調節可能に構成したため、スリット板２０と遮蔽板３０とによって規定される照射範囲を、例えば照明器具１の取り付け角度などに応じて適宜調節することが可能となる。
【００２４】
また本実施形態によれば、蛍光ランプ１０を挟んでスリット板２０の対向面に反射板１２が配置され、また、スリット板２０を反射性を有する金属板から形成すると共に、遮蔽板３０とスリット板２０のそれぞれの対向面３０Ａ、２０Ａを黒色にする構成した。
この構成により、スリット板２０と反射板１２との反射によりスリット開口２１や前方開口２２から効率良く光を導出させると共に、スリット板２０及び遮蔽板３０の間における反射を抑え照明器具１の後方への光漏れを防止することができる。
さらに、本実施形態においては、前掲図２に示すように、蛍光ランプ１０の先端部１０Ａの所定長Ｘを遮光装置１１から突出（露出）させる構成としているため、照明器具１の前方への光の遮光装置１１による遮蔽が抑えられ、さらなる器具効率の向上が図られている。なお、この所定長Ｘは、該先端部１０Ａからの光が照明器具１の後方に漏れない程度の長さである。
【００２５】
なお、上述した実施の形態は、あくまでも本発明の一態様を示すものであり、本発明の範囲内で任意に変形および応用が可能であることは勿論である。
【図面の簡単な説明】
【００２６】
【図１】本発明の実施形態に係る照明器具を下方から見た斜視図。
【図２】照明器具の一部断面図。
【図３】照明器具からグローブを外した状態を下方から見た斜視図。
【図４】照明器具から遮光装置を取り外した状態を下方から見た斜視図。
【図５】遮光装置を下方から見た斜視図。
【図６】遮光装置の分解斜視図。
【図７】遮光装置の構成を示す図であり、（Ａ）は側面、（Ｂ）は先端（前方）側、（Ｃ）は後端（後方）側をそれぞれ示す。
【符号の説明】
【００２７】
１  照明器具
２  照明器具本体
３  グローブ
６  支持アーム
９  アーム挟持機構
１０  蛍光ランプ
１１  遮光装置
１２  反射板
２０  スリット板
２１  スリット開口
２３  後方開口
２５  螺子孔
３０  遮蔽板
３１  遮蔽面
３２Ａ、３２Ｂ  後方遮光板
【図１】
2008282689.tif 000003
【図２】
2008282689.tif 000004
【図３】
2008282689.tif 000005
【図４】
2008282689.tif 000006
【図５】
2008282689.tif 000007
【図６】
2008282689.tif 000008
【図７】
2008282689.tif 000009